【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  インターネットに接続した少なくとも一つ以上のコンピュータを含むコンピュータネットワークを通して取引交渉する方法において、以下のステップを含む方法：
（１）契約を成立させようとしてなされる一つ以上の申し込みについての情報を、インターネットを通じて閲覧することができる電子リストに掲示するステップであって、申込みおよび該申込みに対する応答を上位−下位の階層関係にしてコンピュータディスプレイ上に表示するステップ、
（２）一つ以上の該申込みに対する一つ以上の応答を該電子リストに掲示するステップ、
（３）一つ以上の該応答を調査して、それらが一つ以上の契約基準を満たすか否かを決定するステップ、
（４）一つ以上の該応答を承諾または変更するために、複数の関係者がネットワークを通じて交渉するステップ、
（５）文書に電子署名して契約を成立させるステップ。
【請求項２】  さらに、一つ以上の申込みおよび応答を、ユーザーが選択したソート順に並べ換えるステップを含む、請求項１記載の方法。
【請求項３】  各契約当事者が契約の相手方を同定できないようにするため、ステップ（１）および（２）を匿名で行なわせる、請求項１記載の方法。
【請求項４】  さらに、ステップ（５）の前に、各当事者の身元を同時に明らかにするステップを含む、請求項３記載の方法。
【請求項５】  ステップ（１）および（４）が、複数のユーザーに単一の匿名電子メール用エイリアスを共有させるステップを含む、請求項３記載の方法。
【請求項６】  さらに、以下のステップを含む、請求項１記載の方法。
（６）一つ以上の申込みをモニターしている電子エージェントを用いてキーワードを登録し、キーワードが一致したときに通知を受けられるよう電子メールアドレスを提供するステップ、
（７）キーワードの一致を検出する電子エージェントに対する応答として、ステップ（６）で提供された電子メールアドレスにメッセージを伝達するステップ。
【請求項７】  ステップ（２）において、ステップ（１）で掲示された情報と返信用カードとをリンクしているハイパーリンクをクリックすることを含む、請求項１記載の方法。
【請求項８】  ステップ（２）において、返信用カードを受けとる前に、一定の情報の提示を要求するステップを含む、請求項６記載の方法。
【請求項９】  一つの契約について、一つ以上の応答に変更が為されるような、ステップ（３）および（４）が複数回繰り返される、請求項１記載の方法。
【請求項１０】  さらに、加入権をもつ複数の法人（entity）を電子的に登録し、登録された法人を、署名することのできる一つ以上の文書に対応させるステップを含む、請求項１記載の方法。
【請求項１１】  コンピュータのディスプレイ上に情報を表示させる方法において、
（１）後列でそれぞれの第二複数画面がフォルダの表紙およびラベル付きのタブとを含むファイルフォルダの形をしており、該ラベル付きのタブの一部のみが目に見える、該第二複数画面に重なる前列で、それぞれがフォルダの表紙およびラベル付きのタブとを含むファイルフォルダの形をした第一の複数の画像において、これら複数の画像が階段状に連続して重なっている第一の複数画像を表示するステップ、および
（２）ユーザーがフリップタブを活性化する応答をすると、ステップ（１）で表示されていた画像が変化し、前列で第二複数画像を表示するステップを含み、前列にある第一の複数画面および第二複数画面の各画面を、対応するラベル付きタブをクリックすることにより、他の画像の前になる前景部に持ってくることのできる方法。
【請求項１２】  第一の複数画面および第二複数画面の各画面が、そのフォルダの表紙に表示されている一つ以上の機能と結びついており、ユーザーがその画面上をクリックすることにより、一つ以上の機能を活性化させることのできる、請求項１１記載の方法。
【請求項１３】  システム管理者レベルの有資格者を必要とせずに、複数のコンピュータにわたる、ユーザーが設定するネットワーク環境を創出する方法において、以下のステップを含む方法：
（１）グループ識別子、グループ記述子などを提供し、ユーザーが設定するネットワーク環境を使用する権限を与えられた複数のグループメンバーを特定することによって、グループを創出するステップ、
（２）利用可能なツールのリストから、ウェブ（web）を用いた複数の通信用ツール、共同用ツール、および取引用ツールで、請求項１において特定された複数のグループメンバーに利用させることのできるツールを選択するステップ、
（３）コンピュータソフトウェアを利用して、ステップ（１）で選択された複数のグループメンバーが利用することのできるウェブページで、ステップ（２）において選択された複数のツールへのアクセスを提供するページを作成することによって、ユーザーが設定するネットワーク環境を自動的に創出するステップ。
【請求項１４】  ステップ（１）が、グループメンバーとなる見込みのある人に案内状を送付することによって、複数の人にグループへの加入を呼びかけるステップを含む、請求項１３記載の方法。
【請求項１５】  ステップ（１）が、グループメンバーとなる見込みのある人々で、そのうちの少なくとも何人かは、ネットワーク環境を創出したユーザーが知らないという人々に対する広告を掲示することによって、グループへの加入を勧誘する宣伝を行なうステップを含む、請求項１３記載の方法。
【請求項１６】  さらに、グループに加えるべきか否かを決定するために、広告に応答した、メンバーとなる見込みのある人々を選別するステップを含む、請求項１３記載の方法。
【請求項１７】  さらに、ユーザーが設定するネットワーク環境を用いて、グループメンバー間で電子的に共同するステップを含む、請求項１３記載の方法。
【請求項１８】  さらに、必要がなくなったときに、ユーザーが設定するネットワーク環境を破壊するステップを含む、請求項１３記載の方法。
【請求項１９】  ステップ（２）が、グループメンバーへのオークションを実施するための取引用エンジンを選択するステップを含む、請求項１３記載の方法。
【請求項２０】  ステップ（２）が、調査への参加者が電子的に回答すべき調査質問項目を含むオンライン電子調査を実施するための取引用エンジンを選択するステップを含む、請求項１３記載の方法。
【請求項２１】  ステップ（２）が、一つ以上の申込みに対する付け値を、グループメンバーによって電子的に提示できるようにする入札および申込みツールを実行する取引用エンジンを選択するステップを含む、請求項１３記載の方法。
【請求項２２】  ステップ（２）が、ユーザーが設定するネットワーク環境において、グループメンバーが商品またはサービスを電子的に注文することができるようにするオンライン注文用エンジンを選択するステップを含む、請求項１３記載の方法。
【請求項２３】  ステップ（２）が、２者以上のグループメンバーの間での電子商取引を行なう電子データ交換（Electronic Data Interchange: EDI）用の共通インターフェイスを選択するステップを含む、請求項１３記載の方法。
【請求項２４】  ステップ（２）が、電子アイデアカードを用いて、参加者にブレインストーミングを行なわせる電子ブレインライティング（brain-writing）ツールを選択するステップを含む、請求項１３記載の方法。
【請求項２５】  システム管理者レベルの有資格者を必要としないで創出することのできる、ユーザー設定によるネットワーク環境を実行するためのシステムにおいて、
複数の該ネットワークコンピュータの１つ以上で実行する複数のウェブブラウザ、および
複数の該ネットワークコンピュータ上で実行するコンピュータプログラムを含むシステムであって、、
（１）ユーザーに、複数のグループメンバーを含むグループを作成することを許可するステップ、
（２）利用可能なツールのリストから、ウェブを用いた複数の通信用ツール、共同用ツール、および取引用ツールで、複数のグループメンバーに利用させうるツールをユーザーに選択することを許可するステップ、
（３）複数のグループメンバーが利用することができ、複数のグループメンバーにステップ（２）において選択された複数のツールへのアクセスを提供するウェブページを自動的に作成するステップ、
を実行するコンピュータプログラムを含むシステム。